(57)【特許請求の範囲】
【請求項１】
一側に戸袋を備えた引戸枠部材に、引戸吊下げ用レールを傾斜して取付け、該レールに添って引戸を自動的に閉鎖方向に移行するようにした引戸装置において、引戸枠部材を戸袋側と反対側とに分離し、戸袋側は相対する戸袋の上下を支持枠により所定間隔を存したパネル構造の戸袋部材とし、反対側は縦枠と、引戸装置の略々１／２長さの上枠とにより逆Ｌ字状の開口枠部材を構成し、該開口枠部材の上枠と前記戸袋部材の上部支持枠とを連結板を介して連結するとともに、引戸吊下げ用レールは、その先端を戸袋部材の上部支持枠に取付けられたレール受けに着脱可能に載置し、反対側は開口枠部材の上枠側にビスにより着脱可能に取付けたことを特徴とする引戸装置。
【発明の詳細な説明】
【０００１】
【発明の属する技術分野】
本発明は、引戸装置、詳しくは戸袋を備えた吊下げ形式の引戸において、吊下げ用レールを傾斜して取付け、引戸を戸袋収納位置から閉鎖位置に自動的に移行する半自動式引戸装置に関する。
【０００２】
【従来の技術】
上記引戸装置は、通常縦枠、戸袋、引戸、引戸吊下げ用レール等の各部品をそれぞれ別個に搬入し、現地において組立てる工法が採られている。
【０００３】
【発明が解決しようとする課題】
しかしこの工法によるときは、組立に場所的にも制約を受け、かつ人手及び時間を要する等の問題がある。本発明はかゝる点に鑑み、予め工場等において予備組立を行い、現地における組立の簡素化を計ることを目的とする。
【０００４】
【課題を解決するための手段】
上記目的を達成するための第１の発明は、一側に戸袋を備えた引戸枠部材に、引戸吊下げ用レールを傾斜して取付け、該レールに添って引戸を自動的に閉鎖方向に移行するようにした引戸装置において、引戸枠部材を戸袋側と反対側とに分離し、戸袋側は相対する戸袋の上下を支持枠により所定間隔を存したパネル構造の戸袋部材とし、反対側は縦枠と、引戸装置の略々１／２長さの上枠とにより逆Ｌ字状の開口枠部材を構成し、該開口枠部材の上枠と前記戸袋部材の上部支持枠とを連結板を介して連結するとともに、引戸吊下げ用レールは、その先端を戸袋部材の上部支持枠に取付けられたレール受けに着脱可能に載置し、反対側は開口枠部材の上枠側にビスにより着脱可能に取付けたことを特徴とする。
【０００５】
上記の構成からなる本発明は、パネル構造とした戸袋部材と開口枠部材とを予め制作し、これを現地において組立てることにより引戸枠部材を構成するようにしたことにより、現地における引戸枠部材の組立は、単に両者を連結板を介して連結するのみで、簡単に行うことができる。
また、引戸吊下げ用レールの戸袋側への取付けに際しては、該戸袋部材に取付けられたレール受けに載置するのみであり、取付けは容易である。
【０００６】
【発明の実施の形態】
以下、本発明の実施の形態を図面に基づいて説明する。図において引戸装置１は、一側に戸袋を備えた枠部材２に、引戸吊下げ用レール７を傾斜して取付け、引戸をこれに添って自動的に閉鎖方向に移行するようにした引戸装置であって、引戸枠部材２は、戸袋部材３と、これとは反対側の開口枠部材４とより構成し、この両者を連結板５により連結して構成する。引戸装置１はこれに引戸６、及びその吊下げ用レール７を着脱可能に傾斜して取付けてなる。
【０００７】
戸袋部材３は相対する戸袋１０、１０の上下を、断面コ字状とした支持枠１１、１２により、引戸６の挿入を許容する間隔を存して取付けてパネル構造とし、これに縦枠１３に取付けてなり、反対側の開口枠部材４は、縦枠１５と、引戸装置の略々１／２長さの上枠１６とにより逆Ｌ字状に構成したものである。
【０００８】
上記吊下げ用レール７は、断面縦長のリップ付溝形鋼とし、下面のローラ支持面７ａにより引戸６の上部に取付けられた支持ブラケット１７に取付けられる吊下げローラ１８を載置する。なお、この吊下げ用レール７は、戸袋側を若干高く、閉鎖側の縦枠１５側を低くして取付ける。この場合の取付け要領は、戸袋部材３側の上部支持枠１１にレール受け２０を取付け、これにレール７の先端を支持せしめ、他端は開口枠部材４の上枠１６に取付けられたレール取付け部分２１にビス等の固着手段２２により取付ける。なお、レール取付け部分２１若しくはレール７の当該部分を長孔としてレール７の傾斜角度を、戸袋内の開放位置にある引戸６が自重により閉鎖位置へ移行可能な角度に調整する。
【０００９】
このレール７には、引戸６の閉鎖位置に近づく際の移動速度を制御するエアダンパー２５を取付ける。２７は引戸６の支持ブラケット１７にこのエアダンパー２５のピストンロッド２６に対応して取付けられるマグネットを示し、引戸６の閉鎖位置に近づくと、該マグネット２７はピストンロッド２６に当接し、エアダンパー２５を圧縮することによりその速度は制動される。また引戸６の開放位置への移動に際しては、マグネット２７はピストンロッド２６を引き出し、最大位置において離間し、ピストンロッド２６はその位置に放置される。また、移動速度の制御はエアダンパーに限らず、例えば、レールの閉鎖部付近を略平坦にした段付き形状（図示省略）にしてもよい。
【００１０】
また上記支持ブラケット１７には、開放方向へ移行する引戸を任意の位置に停止するフリーストップ機構３０を吊下げ用レール７に対向して取付ける。その取付け位置は、引戸６の閉鎖位置においては、上記レール７の先端位置を通り越して外れた位置（以下自由位置という）に取付けられるもので、その構造は周知構造のもの（特許第２６８３３２１号）を利用する。その概略を図９乃至図１２に示す。
【００１１】
このフリーストップ機構３０は、支軸３１に揺動可能に弾性係止部材３２を支持せしめ、該弾性係止部材は支軸３１とレール７との距離Ｌよりも若干長く形成して自重によりか垂せしめ、かつレール７との接触面を円弧状に形成すると共に、摩擦係数の大なる資材により形成したものである。その作用は後述する。
なお４０は床面に取付けられた引戸のガイドローラを示す。
【００１２】
上記構成において、予め工場等において引戸枠部材２の戸袋部材３と、開口部枠部材４とを構成し、現地に運搬して連結板５に対してビス等の固着手段８により連結することにより、引戸枠部材２の組立は完了する。なお、上記戸袋部材３の組立に際しては、予め吊下げ用レール７のレール受け２０を取付けておく。なお図例は連結板５を上部からビス８にて連結する例を示したが、側方より固着してもよい。
【００１３】
ついで引戸吊下げ用レール７の取付け及び引戸６の装着とを行う。この際のレール７の取付け要領は、前述の如くレール７の先端を、レール受け２０に載置し、反対側をビス２２により開口枠部材４の上枠１６に取付けたレール取付け板２１に調整可能に取付ける。
なおこの場合、エアダンパー２５を予めレール７に取付けておく。
【００１４】
これにより、引戸６が閉鎖位置にあるとときは、エアダンパー２５のピストンロッド２６は、引戸６の支持ブラケット１７に取付けられたマグネット２７により押し込まれている。またフリーストップ機構３０は、レール７の先端から外れた位置（自由位置）にある。
【００１５】
ついで引戸６を手で開き方向に移行するときは、フリーストップ機構３０の弾性係止部材３２の先端は吊下げ用レール７上に載置され、かつその先端３２ａは図１０及び図１２に示す如く支軸３１よりも後方に位置して引戸６に追随移行する。従って任意の位置において引戸から手を離すと、弾性係止部材３２は突っ張りの状態となり、かつその摩擦力により逆行は阻止され、その位置で停止する。引戸を完全に開いた状態（図１１）においても同様である。
【００１６】
なお、上記エアダンパー２５は、引戸６の開放方向への移行に伴い、引戸側のマグネット２７によりピストンロッド２６は引き出され、最大引き出し位置において該マグネット２７とは離間され、その位置に停止する。
【００１７】
引戸６を閉鎖方向への移行に際しては、該引戸６を手で引き出すことにより、上記フリーストップ機構３０の弾性係止部材３２は、レール７との接触点３２ａを中心として変形して支軸３１の移行を許容して該弾性係止部材３２は図１２で鎖線３２ｂで示す位置となり、支軸３１の閉じ方向への移行を許容する。
【００１８】
引戸６が閉鎖位置に近づいた時、マグネット２７はピストンロッド２６に当接し、該ロッド２６を押し込みつゝ閉鎖位置に移行する。これによりエアダンパー２５は圧縮され、引戸の速度は規制されて静かに閉鎖される。
【００１９】
【発明の効果】
以上の如く本発明によるときは、引戸装置の枠を構成する引戸枠部材は、戸袋部材と、これとは反対側の開口枠部材とより構成し、この両者を連結板により連結して構成し、これに引戸の吊下げ用レールを着脱可能に傾斜して取付けるようにしたから、引戸枠部材は予め工場等において制作し、現地においては、これを単に組み立てるのみで形成することができるため、その組立は簡単、かつ短時間にて行うことができる。
また引戸吊下げ用レールは、先端を戸袋側に取付けたレール受けに載置し、手前側をビスにより固定するのみであり、該レールの着脱は容易に行うことができる。
【図面の簡単な説明】
【図１】  本発明の引戸装置の正面図である。
【図２】  本発明の組立要領説明図である。
【図３】  引戸吊下げ用レール及びレール受けの斜視図である。
【図４】  引戸装置の上部の詳細図である。
【図５】  図４における平面図である。
【図６】  図４におけるＸ−Ｘ線に沿う断面図である。
【図７】  図４におけるＹ−Ｙ線に沿う断面図である。
【図８】  図４におけるＺ−Ｚ線に沿う断面図である。
【図９】  図９乃至図１２はフリーストップ機構の作動説明図で、図９は閉鎖時の自由位  置の状態説明図である。
【図１０】  引戸の開扉方向への移行時のフリーストップ機構の状態説明図である。
【図１１】  引戸の開扉時の引戸の状態説明図である。
【図１２】  フリーストップ機構の弾性係止部材の作動説明図である。
【符号の説明】
１  引戸装置
２  引戸枠部材
３  戸袋部材
４  開口枠部材
５  連結板
６  引戸
７  引戸吊下げ用レール
１０  戸袋
２０  レール受け
【図１】
0003647276.tif 000002
【図２】
0003647276.tif 000003
【図３】
0003647276.tif 000004
【図４】
0003647276.tif 000005
【図５】
0003647276.tif 000006
【図６】
0003647276.tif 000007
【図７】
0003647276.tif 000008
【図８】
0003647276.tif 000009
【図９】
0003647276.tif 000010
【図１０】
0003647276.tif 000011
【図１１】
0003647276.tif 000012
【図１２】
0003647276.tif 000013